(57)【要約】      （修正有）【課題】手形や足形を写実的に表現するとともに、その手形や足形および誕生に関する記載部分がいつまでも褪せることなく、構造を簡単で、写真の交換を簡単に行うことができる清涼感に富むメモリアルフレームを提供する。【解決手段】２枚の合成樹脂からなる透明のパネル２とこのパネル２を支える透明な載置台３を有する。表面側パネル２ａの裏面に手形や足形の足形等表示部１１と誕生日記載部１２および名前・身長・体重等の記録記載部１３をレーザー光にて彫刻する。写真表示部７は、裏面側パネル２ｂの表面に設けた凹部４に写真５を収納して透明蓋体６により覆って形成する。載置台３の両端部を垂直に立ち上げてパネル支持部２０を形成し、パネル支持部２０に表面側パネル２ａと裏面側パネル２ｂを重ね合わせて収納可能な切り込み部を形成する。切り込み部は、表面側パネル２ａを支える第１の底部と裏面側パネル２ｂを支える第２の底部に段差を設けて形成し、表面側パネル２ａの裏面と裏面側パネル２ｂの表面とを当接させて切り込み部に支持する。【選択図】図１
0003160976.tif 000002
【実用新案登録請求の範囲】
【請求項１】
第１および第２の２枚の合成樹脂から成るパネル２とこの２枚のパネル２を重ね合わせて支持する載置台３から成るメモリアルフレーム１において、
前記第１および第２のパネル２は、透明なアクリル樹脂材から成り、横長な長方形状に形成された第１のパネルとしての表面側パネル２ａと第２のパネルとしての裏面側パネル２ｂから成るとともに、
前記第２のパネルとしての裏面側パネル２ｂの表面には凹部４を形成し、この凹部４内に写真５とこの写真５の上に透明蓋体６を配設することにより写真表示部７を形成し、
かつ前記第１のパネルとしての表面側パネル２ａは、前記裏面側パネル２ｂに対して、横長を同一に形成するとともに縦長を短く形成し、その裏面には、前記裏面側パネル２ｂの写真表示部７の写真５で表示されている赤ちゃんの足形１０を表示した足形等表示部１１と誕生日表示部１２と名前、身長、体重等の記録表示部１３を形成し、当該第１および第２のパネル２を、表面側パネル２ａの裏面と裏面側パネル２ｂの表面とを当接し、表面側パネル２ａの表面が観察者側に向くように重ね合わせて前記載置台３に立設し、
さらに、前記第２のパネルとしての裏面側パネル２ｂの写真表示部７は、前記凹部４と写真５および透明蓋体６を同じ大きさの平面形状で、略正方形状に形成し、凹部４に写真５と透明蓋体６をガタツキなく収納し得るようにするとともに凹部４の深さを、写真５と透明蓋体６を合わせた厚さと略同にし、凹部４内に写真５と透明蓋体６を収納した際には、透明蓋体６の表面が裏面側パネル２ｂの表面と一致し、前記表面側パネル２ａと裏面側パネル２ｂを重ね合わせて載置台３に支持しても、前記写真５および透明蓋体６が脱落することがないように構成し、かつ、前記写真５は、当該写真表示部７に飾るに好適な被写体５ｂが映されている写真５ａを選択し、その被写体５ｂの上に、前記凹部４と同じ大きさの透明蓋体６を載置して、当該透明蓋体６の辺部に沿わせて切断することで、凹部４内に収納できる大きさに切断することができるとともに前記透明蓋体６を写真５ａに載置し、被写体５ｂを選択して写真表示部７に飾る写真５のトリミングをすることができるように構成し、
前記第１のパネルとしての表面側パネル２ａの足形等表示部１１は、これに表示される足形１０を、前記裏面側パネル２ｂの写真表示部７の写真５で表示されている赤ちゃんの足裏に墨等の塗料を塗布して紙等に転写し、この転写図形をスキャニングして、コンピューターによりレーザ彫刻機を操作して表面側パネル２ａの裏面に原寸大で彫刻することにより形成し、
前記誕生日記載部１２は、誕生日の年月とその月の全体の日を曜日を含めて表示されたカレンダー方式１４にて表示するとともに誕生日１５を、他の日とは識別し得るようにレーザー彫刻して形成し、かつ前記記録記載部１３は、メモリアルフレーム１の表題１６と写真で表示されている赤ちゃんの名前１７と誕生時の身長１８と体重１９をレーザー彫刻して形成し、
加えて前記載置台３には、前記第１および第２のパネル２と同様に透明なアクリル樹脂から成り、平板状板材の両端部を垂直に立ち上げたパネル支持部２０と、このパネル支持部２０の間の置き部２１にて形成するとともにパネル支持部２０には、切り込み部２２を形成して成り、
前記切り込み部２２は、前記表面側パネル２ａと裏面側パネル２ｂを重ね合わせた厚さと略同じ幅に形成し、前記第１および第２のパネル２をスムーズに挿入かつ抜き出しつつ、前記写真５の交換を容易に行うことができるように構成するとともに、当該切り込み部２２の底部は、前記表面側パネル２ａを支持する第１の底部２２ａと裏面側パネル２ｂを支持する第２の底部２２ｂに段差を設けて形成し、その段差は表面側パネル２ａと裏面側パネル２ｂの縦長差に対応させて、第１の底部２２ａが第２の底部２２ｂより、前記置き部２１から見て高く形成することにより、前記第１および第２の２枚のパネル２を重ね合わせて、当該切り込み部２２に収納した時に、表面側パネル２ａと裏面側パネル２ｂの上面が一致するように構成したことを特徴とするメモリアルフレーム。
【考案の詳細な説明】
【技術分野】
【０００１】
本考案は、写真、誕生日、手形・足形等を表示し記念とするためのメモリアルフレームに関する。
【背景技術】
【０００２】
従来、赤ちゃんの誕生に際して、赤ちゃんの手形や足形、写真等を記念に飾ることが行われている。
【０００３】
例えば、図６および図６のＢ−Ｂ線断面図である図７に示すように、型取り材３１を充填する凹形状のケース３２の周辺部に額縁３３を取り付け、この額縁３３に写真と写真押さえ板３５を収納する凹部３６を設けた透明カバー３７の周辺部を取り付けて、型取り材３１の表面を透明カバー３７で覆うとともに、ケース３２の背面に支え脚３８を取り付けた記念飾り具３０が提案されている。型取り材３１は可塑性を有しており、手（足）を押し付けて窪みを形成して手（足）形３９を表示するようになっている（特許文献１）。
【０００４】
しかしながら、前記記念飾り具３０は、ケース３２の周辺部に額縁３３を取り付けるとともに、この額縁３３に周辺部を取り付けた透明カバー３７によりケース３２の表面側を覆っており、構造的に複雑であり、また写真３４を交換するには透明カバー３７を額縁３３から取り外さなければならず、写真３４の交換には極めて不便であった。また、手（足）形３９は型取り材３１で取っているので、シワ等が出にくく写実的に表現できなかったり、手（足）形３９を取るには、型取り材３１に赤ちゃんの手（足）を親等が手で持ち動かないように押さえ付けなければならなかった。さらに、記念飾り具３０は、背面に型取り材３１が配設されているので透明性がなく、清涼感等に欠けるものであった。
【０００５】
また、図８および図８のＣ−Ｃ断面図である図９に示すように、手（足）を押し付けて窪んだ手（足）形４１を取る粘土質等の型取り材４２と、型取り材４２を充填する受皿４３と、型取り材４２の表面を覆う透明な表面カバー４４とを備え、表面カバー４４に写真４５を飾る写真展示部４６と、身長や体重等を記入する記録カード４７を展示する記録カード展示部４９を設けた手形等の飾り額４０が提案されている（特許文献２）。
【０００６】
しかしながら、前記飾り額４０にあっては、受皿４３は表面カバー４４の内面側に設けたリブ５０に受皿４３のツバ５１を係止して表面カバー４４に取り付けられており、また、写真展示部４６および記録カード展示部４９は、表面カバー４４の内面側に形成したリブ５２およびリブ５３に囲まれたそれぞれの凹部に写真４５と背カバー５４および記録カード４７と背カバー５５を嵌め込んで形成されている。
【０００７】
そのため、構造的に複雑であり、嵌め込んだ写真４５等の交換が簡単にできない問題があった。また、前述したと同様に、手（足）形４１を写実的に表現できず、透明性による清涼感等が得られなかった。さらに、身長や体重等を記録カード４７に記入しているので、月日の経過により色あせたりして、美観上好ましくなくなったり判読しにくくなったりする不具合があった。
【０００８】
【特許文献１】実用新案登録第３０５８４８５号公報
【特許文献２】実用新案登録第３０７６１８２号公報
【考案の開示】
【考案が解決しようとする課題】
【０００９】
本考案は、前記問題点に鑑みてなされたもので、手形や足形を写実的に表現するとともに、その手形や足形および誕生に関する記載部分がいつまでも褪せることなく、構造を簡単で、写真の交換を簡単に行うことができる清涼感に富むメモリアルフレームを提供することを目的とする。
【課題を解決するための手段】
【００１０】
前記目的を達成するために、本考案の請求項１のメモリアルフレームは、第１および第２の２枚の合成樹脂から成るパネル２とこの２枚のパネル２を重ね合わせて支持する載置台３から成るメモリアルフレーム１において、前記第１および第２のパネル２は、透明なアクリル樹脂材から成り、横長な長方形状に形成された第１のパネルとしての表面側パネル２ａと第２のパネルとしての裏面側パネル２ｂから成るとともに、前記第２のパネルとしての裏面側パネル２ｂの表面には凹部４を形成し、この凹部４内に写真５とこの写真５の上に透明蓋体６を配設することにより写真表示部７を形成し、かつ前記第１のパネルとしての表面側パネル２ａは、前記裏面側パネル２ｂに対して、横長を同一に形成するとともに縦長を短く形成し、その裏面には、前記裏面側パネル２ｂの写真表示部７の写真５で表示されている赤ちゃんの足形１０を表示した足形等表示部１１と誕生日表示部１２と名前、身長、体重等の記録表示部１３を形成し、当該第１および第２のパネル２を、表面側パネル２ａの裏面と裏面側パネル２ｂの表面とを当接し、表面側パネル２ａの表面が観察者側に向くように重ね合わせて前記載置台３に立設し、さらに、前記第２のパネルとしての裏面側パネル２ｂの写真表示部７は、前記凹部４と写真５および透明蓋体６を同じ大きさの平面形状で、略正方形状に形成し、凹部４に写真５と透明蓋体６をガタツキなく収納し得るようにするとともに凹部４の深さを、写真５と透明蓋体６を合わせた厚さと略同にし、凹部４内に写真５と透明蓋体６を収納した際には、透明蓋体６の表面が裏面側パネル２ｂの表面と一致し、前記表面側パネル２ａと裏面側パネル２ｂを重ね合わせて載置台３に支持しても、前記写真５および透明蓋体６が脱落することがないように構成し、かつ、前記写真５は、当該写真表示部７に飾るに好適な被写体５ｂが映されている写真５ａを選択し、その被写体５ｂの上に、前記凹部４と同じ大きさの透明蓋体６を載置して、当該透明蓋体６の辺部に沿わせて切断することで、凹部４内に収納できる大きさに切断することができるとともに前記透明蓋体６を写真５ａに載置し、被写体５ｂを選択して写真表示部７に飾る写真５のトリミングをすることができるように構成し、前記第１のパネルとしての表面側パネル２ａの足形等表示部１１は、これに表示される足形１０を、前記裏面側パネル２ｂの写真表示部７の写真５で表示されている赤ちゃんの足裏に墨等の塗料を塗布して紙等に転写し、この転写図形をスキャニングして、コンピューターによりレーザ彫刻機を操作して表面側パネル２ａの裏面に原寸大で彫刻することにより形成し、前記誕生日記載部１２は、誕生日の年月とその月の全体の日を曜日を含めて表示されたカレンダー方式１４にて表示するとともに誕生日１５を、他の日とは識別し得るようにレーザー彫刻して形成し、かつ前記記録記載部１３は、メモリアルフレーム１の表題１６と写真で表示されている赤ちゃんの名前１７と誕生時の身長１８と体重１９をレーザー彫刻して形成し、加えて前記載置台３には、前記第１および第２のパネル２と同様に透明なアクリル樹脂から成り、平板状板材の両端部を垂直に立ち上げたパネル支持部２０と、このパネル支持部２０の間の置き部２１にて形成するとともにパネル支持部２０には、切り込み部２２を形成して成り、前記切り込み部２２は、前記表面側パネル２ａと裏面側パネル２ｂを重ね合わせた厚さと略同じ幅に形成し、前記第１および第２のパネル２をスムーズに挿入かつ抜き出しつつ、前記写真５の交換を容易に行うことができるように構成するとともに、当該切り込み部２２の底部は、前記表面側パネル２ａを支持する第１の底部２２ａと裏面側パネル２ｂを支持する第２の底部２２ｂに段差を設けて形成し、その段差は表面側パネル２ａと裏面側パネル２ｂの縦長差に対応させて、第１の底部２２ａが第２の底部２２ｂより、前記置き部２１から見て高く形成することにより、前記第１および第２の２枚のパネル２を重ね合わせて、当該切り込み部２２に収納した時に、表面側パネル２ａと裏面側パネル２ｂの上面が一致するように構成したことを特徴とする。
【考案の効果】
【００１１】
本考案の請求項１によれば、透明なパネルにレーザー光で彫刻し手形や足形を写実的に表示することができる。また、手形や足形に加え、誕生日記載部や記録記載部もレーザー彫刻するので、いつまでも色褪せることなく半永久的に手形や足形の表示および各記載部の表示を制作時の状態で保存でき美観上好ましい状態で保持し飾ることができるとともに、誕生時の赤ちゃんの状況が明確に表示され、かつ月日が経過してもそのときの状況を偲ぶことができるし、成長を実感することができる。
【００１２】
さらに、透明蓋体を写真と同じ形状にしてあるので、凹部に収納する大きさに写真を切断する際に、写真の上に透明蓋体を置いて飾りたい部分や構図を容易に判断できるとともに、透明蓋体の辺部に沿って切断することで凹部に収納し得る大きさに極めて容易にトリミングすることができる。
【００１３】
また、手形や足形等を第１のパネルの裏面に彫刻し、写真を第２のパネルの凹部に収納しているので、写真に対して手形や足形等を第１のパネルの中に立体的に浮かせた状態とすることができる。
【００１４】
さらに、第１のパネルの裏面と第２のパネルの表面を合わせた状態で載置台の切り込み部に収納することで、合わせた状態のパネルを立たせた状態で容易に載置台に支持させ、好みの場所に配置することができる。第１のパネルと第２のパネルは透明であるので全体に清涼感が得られるとともに、２枚のパネルを重ね合わせて透明な載置台で支持する構成であるので、どんなインテリアにもしっくりと馴染ませることができる。
【００１５】
そして、第１の底部と第２の底部に段差を設けることで、傾斜を持たせた切り込み部に第１のパネルと第２のパネルを合わせて収納する際に、傾斜を持たせて立たせた第１のパネルと第２のパネルの上部を正確に合わせることができる。
【００１６】
さらに、誕生日記載部を月全体のカレンダーで表示しているので、誕生の日を、例えば白抜き文字で表現することで、他の日とは区別でき、誕生祝いまでの日数を計算することなく判断できるとともに、忘れがちな曜日までも表現でき、誕生日とともにその曜日を記憶に残すことができる。
【００１７】
そして、パネルおよび載置台をアクリル樹脂材により形成することにより、透明度が良好で第１パネルの表面側から写真や各記載部の内容を鮮明に観察できるとともに、レーザー光による彫刻が容易で足形や手形のシワまでも表現して写実的に彫刻することができる。
【考案を実施するための最良の形態】
【００１８】
以下、本考案の実施例を図面とともに説明する。
【実施例１】
【００１９】
本考案の実施例１を図１〜図４に基づいて説明する。図１〜図４は本実施例のメモリアルフレームを示し、図１は正面図、図２は右側面図、図３は図１のＡ−Ａ線断面図、図４は図３の部分拡大断面図で写真表示部を示してある。
【００２０】
図に示すように、本実施例のメモリアルフレーム１は、第１および第２の２枚のパネル２とこの２枚のパネル２を重ね合わせて支持する載置台３からなっている。
【００２１】
２枚のパネル２は、透明なアクリル樹脂材からなり、横長な長方形状に形成された第１のパネルとしての表面側パネル２ａと第２のパネルとしての裏面側パネル２ｂからなっている。表面側パネル２ａと裏面側パネル２ｂは、表面側パネル２ａの裏面と裏面側パネル２ｂの表面と重ね合わせて載置台３に載置されている。すなわち、表面側パネル２ａの裏面と裏面側パネル２ｂの表面とは当接され、表面側パネル２ａの表面が観察者側に向くようになっている。
【００２２】
裏面側パネル２ｂの表面には凹部４が形成され、この凹部４内に写真５とこの写真５の上に透明蓋体６が配設されることで写真表示部７が形成されている。凹部４と写真５および透明蓋体６は同じ大きさの平面形状で略正方形状に形成され、凹部４内に写真５と透明蓋体６をガタツキなく収納し得るようになっている。さらに、凹部４の深さは、写真５と透明蓋体６を合わせた厚さと略同じになっており、凹部４内に写真５と透明蓋体６を収納した際には、透明蓋体６の表面が裏面側パネル２ｂの表面と一致し、表面側パネル２ａと裏面側パネル２ｂを重ね合わせて載置台３に支持しても、写真５は勿論、透明蓋体６が脱落することは全くない。
【００２３】
写真５は、図５に示すように、写真表示部７に飾るに好適な被写体５ｂが映されている写真５ａを選択し、その被写体５ｂの上に凹部４と同じ大きさの透明蓋体６を載置して透明蓋体６の辺部に沿わせて切断することで、容易に凹部４内に収納できる大きさに切断することができる。また、透明蓋体６を写真５ａに載置し被写体５ｂを選択して写真表示部７に飾る写真５にトリミングすることで、最適な構図を容易に得ることができる。
【００２４】
表面側パネル２ａは、裏面側パネル２ｂに対して横長が同一に形成され、縦長が短く形成されている。表面側パネル２ａの裏面には、写真表示部７の写真５で表示されている赤ちゃんの足形１０を表示した足形等表示部1１と誕生日表示部１２と名前・身長・体重等の記録表示部１３がそれぞれレーザー光により彫刻されている。
【００２５】
足形等表示部１１に表示される足形１０は、略生まれた直後の足が表示されている。この足形１０は、足裏に墨等の塗料を塗布して紙等に転写し、この転写図形をスキャニングしてコンピューターによりレーザー彫刻機を操作して表面側パネル２ａの裏面に原寸大で彫刻されている。足の転写図形には、足裏の凹凸が感じられるとともにシワが忠実に転写されており、これに基づいて行われるレーザー彫刻により、凹凸の感じやシワが足形１０に表示され、写実的な足形１０が得られる。なお、足形等表示部１１は、足形１０に限られることはなく、手形を彫刻しても良く、足形１０と手形の両方を彫刻して表示しても良い。
【００２６】
誕生日記載部１２は、誕生日の年月と、その月の全体の日が曜日を含めて表示されたカレンダー方式１４にレーザー彫刻されており、誕生日１５（図１では２２日）が白抜き文字で表示され、その他の日とは識別し得るようになっている。なお、誕生日１５の表示は、白抜き文字に限られず、太文字、斜体文字、色違い文字等で表示して他の日と識別し得るようにしても構わない。
【００２７】
記録記載部１３には、メモリアルフレーム１の表題１６と、写真５で表示されている赤ちゃんの名前１７と、誕生時の身長１８と体重１９がレーザー彫刻されている。なお、記録記載部１３は、これらの表示に限定されることはなく、出生時刻や出生場所等を合わせて表示しても良い。また、図では英語で表示されているが、このほかの文字で表示しても構わない。
【００２８】
前記写真表示部７、足形等表示部１１、誕生日表示部１２、記録表示部１３の配置は、図１に表示してある配置に限られず、各表示部が重ならない状態での配置なら、どの配置であっても構わない。
【００２９】
載置台３は、２枚のパネル２と同様に、透明なアクリル樹脂材からなり、平板状板材の両端部を垂直に立ち上げたパネル支持部２０と、このパネル支持部２０の間の置き部２１が形成されている。パネル支持部２０の上面は曲面に形成されており、パネル支持部２０には、前記曲面から正面（観察側）方向に下部を所定角度傾斜させて上下方向に直線的な切り込み部２２が設けられている。
【００３０】
切り込み部２２は、表面側パネル２ａと裏面側パネル２ｂを重ね合わせた厚さと略同じ幅に形成され、２枚のパネル２をスムーズに挿入しかつ抜き出し得るようになっており、写真５の交換を容易に行うことができる。また、切り込み部２２の底部は、表面側パネル２ａ側より裏面側パネル２ｂ側の方が浅く形成されている。すなわち、表面側パネル２ａを支持する第１の底部２２ａと裏面パネル２ｂを支持する第２の底部２２ｂは段差を設けて形成され、その段差は表面側パネル２ａと裏面パネル２ｂの縦長差に対応させて、第１の底部２２ａが第２の底部２２ｂより置き部２１から見て高く形成されている。これにより、表面側パネル２ａと裏面側パネル２ｂを重ね合わせて切り込み部２２に収納すると、表面側パネル２ａと裏面側パネル２ｂの上面が一致するようになっている。
【図面の簡単な説明】
【００３１】
【図１】本考案の実施例１を示す正面図である。
【図２】本考案の実施例１を示す右側面図である。
【図３】図１のＡ−Ａ線断面図である。
【図４】図３の部分拡大断面図である。
【図５】写真のトリミングを説明するための説明図である。
【図６】従来技術を示す正面図である。
【図７】図６のＢ−Ｂ線断面図である。
【図８】従来技術を示す正面図である。
【図９】図８のＣ−Ｃ線断面図である。
【符号の説明】
【００３２】
１    メモリアルフレーム
２    ２枚のパネル
２ａ  表面側パネル
２ｂ  裏面側パネル
３    載置台
４    凹部
５，５ａ    写真
５ｂ  被写体
６    透明蓋体
７    写真表示部
１０  足形
１１  足形等表示部
１２  誕生日表示部
１３  記録表示部
１４  カレンダー方式
１５  誕生日
１６  表題
１７  名前
１８  身長
１９  体重
２０  パネル支持部
２１  置き部
２２  切り込み部
２２ａ  第１の底部
２２ｂ  第２の底部
【図１】
0003160976.tif 000003
【図２】
0003160976.tif 000004
【図３】
0003160976.tif 000005
【図４】
0003160976.tif 000006
【図５】
0003160976.tif 000007
【図６】
0003160976.tif 000008
【図７】
0003160976.tif 000009
【図８】
0003160976.tif 000010
【図９】
0003160976.tif 000011